【手続補正書】
【提出日】平成20年11月18日(2008.11.18)
【手続補正１】
【補正対象書類名】特許請求の範囲
【補正対象項目名】請求項３
【補正方法】変更
【補正の内容】
【請求項３】
一覧表示されたコンテンツのメタデータ及びその取得条件のうちの少なくとも何れかを解析し、次のコンテンツ一覧を取得するための１つ以上の取得条件を生成する生成ステップと、
前記生成ステップで生成された取得条件に基づいて、当該取得条件の少なくとも１つに対応するコンテンツ一覧を表示するための指示を行う操作画面データを作成する操作画面作成ステップと、
前記生成ステップで生成された取得条件に基づいて、前記コンテンツ、前記コンテンツのメタデータ及び前記コンテンツのサムネイルデータのうちの少なくとも何れかを含むコンテンツ関連データをコンテンツ管理装置から取得して、前記操作画面データに対応付けて記憶媒体に記憶する取得ステップと、
前記操作画面データにおける操作画面への操作に基づく前記コンテンツ関連データが前記記憶媒体に記憶されている場合には、当該コンテンツ関連データに係わるコンテンツ一覧を表示装置に表示するコンテンツ一覧表示ステップと
を有することを特徴とするコンテンツ閲覧方法。
【手続補正２】
【補正対象書類名】明細書
【補正対象項目名】００１５
【補正方法】変更
【補正の内容】
【００１５】
本発明のコンテンツ閲覧方法は、一覧表示されたコンテンツのメタデータ及びその取得条件のうちの少なくとも何れかを解析し、次のコンテンツ一覧を取得するための１つ以上の取得条件を生成する生成ステップと、前記生成ステップで生成された取得条件に基づいて、当該取得条件の少なくとも１つに対応するコンテンツ一覧を表示するための指示を行う操作画面データを作成する操作画面作成ステップと、前記生成ステップで生成された取得条件に基づいて、前記コンテンツ、前記コンテンツのメタデータ及び前記コンテンツのサムネイルデータのうちの少なくとも何れかを含むコンテンツ関連データをコンテンツ管理装置から取得して、前記操作画面データに対応付けて記憶媒体に記憶する取得ステップと、前記操作画面データにおける操作画面への操作に基づく前記コンテンツ関連データが前記記憶媒体に記憶されている場合には、当該コンテンツ関連データに係わるコンテンツ一覧を表示装置に表示するコンテンツ一覧表示ステップとを有する。
【手続補正３】
【補正対象書類名】明細書
【補正対象項目名】００２３
【補正方法】変更
【補正の内容】
【００２３】
図２は、本発明の第１の実施形態に係わるコンテンツ閲覧装置でのユーザインタフェース画面を示した図である。
図２において２００は、ユーザインタフェース画面の全体を示している。このユーザインタフェース画面２００は、コンテンツ一覧が表示されるコンテンツ画面２０１と、コンテンツ一覧画面の前後の画面を表示するためのスクロールバー２０２と、コンテンツ一覧の並べ替え条件を指定する並べ替えボタン領域２０３と、日時範囲を選択する日時範囲選択ボタン領域２０４と、表示する分類を指定する分類表示ボタン領域２０５とから構成されている。
【手続補正４】
【補正対象書類名】明細書
【補正対象項目名】００３９
【補正方法】変更
【補正の内容】
【００３９】
次に、コンテンツ管理装置１１０に対して、並べ替え能力情報取得要求を送信し（７０４）、この要求に応じてコンテンツ管理装置１１０から送信された並べ替え能力情報５０２を受信する（７０５）。
【手続補正５】
【補正対象書類名】明細書
【補正対象項目名】００４１
【補正方法】変更
【補正の内容】
【００４１】
続いて、コンテンツ管理装置１１０に対して、次コンテンツ取得条件情報４０６に基づくコンテンツ情報取得要求を送信し（７０８）、この要求に応じてコンテンツ管理装置１１０から送信されたコンテンツ情報５０３を受信する（７０９）。そして、受信したコンテンツ情報５０３を、取得済みコンテンツ情報６０２によりボタン情報４０２と対応付けて記憶する（７１０）。
【手続補正６】
【補正対象書類名】明細書
【補正対象項目名】００４２
【補正方法】変更
【補正の内容】
【００４２】
続いて、コンテンツ管理装置１１０に対して、コンテンツ情報５０３のサムネイルデータへのリンク情報に基づくサムネイルデータ取得要求を送信し（７１１）、この要求に応じてコンテンツ管理装置１１０から送信されたサムネイルデータを受信する（７１２）。そして、受信したサムネイルデータをコンテンツ情報５０３に対応付けて記憶する（７１３）。
【手続補正７】
【補正対象書類名】明細書
【補正対象項目名】００４６
【補正方法】変更
【補正の内容】
【００４６】
続いて、図７と同様に、コンテンツ管理装置１１０に対して、次コンテンツ取得条件情報４０６に基づくコンテンツ情報取得要求を送信し（８０５）、この要求に応じてコンテンツ管理装置１１０から送信されたコンテンツ情報５０３を受信する（８０６）。そして、受信したコンテンツ情報５０３を、取得済みコンテンツ情報６０２によりボタン情報４０２と対応付けて記憶する（８０７）。
【手続補正８】
【補正対象書類名】明細書
【補正対象項目名】００４７
【補正方法】変更
【補正の内容】
【００４７】
続いて、コンテンツ管理装置１１０に対して、コンテンツ情報５０３のサムネイルデータへのリンク情報に基づくサムネイルデータ取得要求を送信し（８０８）、この要求に応じてコンテンツ管理装置１１０から送信されたサムネイルデータを受信する（８０９）。そして、受信したサムネイルデータをコンテンツ情報５０３に対応付けて記憶する（８１０）。なお、図８では、ボタンクリック時のシーケンスを示したが、プルダウンメニュー選択時においても、スクロールバーＵＰ／ＤＯＷＮ操作時でも同様のシーケンスで処理される。
【手続補正９】
【補正対象書類名】明細書
【補正対象項目名】００４９
【補正方法】変更
【補正の内容】
【００４９】
ステップＳ９０５において、タイムアウト等の受信エラーがあれば（ステップＳ９０５／Ｙｅｓ）、並べ替え能力情報の受信エラーを表示し（ステップＳ９３１）、その後、処理を終了する。一方、並べ替え能力情報の受信エラーがなければ（ステップＳ９０６／Ｎｏ）、コンテンツ画面情報４０１を初期化する（ステップＳ９０７）。続いて、図１２に示す次コンテンツ取得条件情報の生成処理１２００を行う（ステップＳ９０８）。続いて、次コンテンツ取得条件情報４０６に基づくボタン情報４０２等を適宜作成し、コンテンツ画面情報４０１と共にユーザインタフェース画面情報３００を作成して、ユーザインタフェース画面２００を表示する（ステップＳ９０９）。そして、図１０に示す次コンテンツ情報の取得処理１０００へと移行する（ステップＳ９１０）。
【手続補正１０】
【補正対象書類名】明細書
【補正対象項目名】００５６
【補正方法】変更
【補正の内容】
【００５６】
続いて、対応するサムネイルデータ５０４を読み出し（ステップＳ１１０４）、それらの情報によりコンテンツ画面情報４０１を更新する（ステップＳ１１０５）。続いて、図１２に示す次コンテンツ取得条件情報の生成処理１２００により次コンテンツ取得条件情報４０６を生成する（ステップＳ１１０６）。続いて、次コンテンツ取得条件情報４０６、コンテンツ画面情報４０１に基づくユーザインタフェース画面情報３００を作成し、ユーザインタフェース画面２００を表示する（ステップＳ１１０７）。そして、図１０に示す次コンテンツ情報取得処理１０００へ移行する（ステップＳ１１０８）。
【手続補正１１】
【補正対象書類名】明細書
【補正対象項目名】００６５
【補正方法】変更
【補正の内容】
【００６５】
（第２の実施形態）
次に、本発明の第２の実施形態について、図１３を用いて説明する。
ここで、第１の実施形態における次コンテンツ情報取得処理１０００以外の部分については、次コンテンツ情報取得処理１０００への呼び出し処理ステップを、次コンテンツ情報取得処理１３００に置き換えることにより同様となるため、説明は省略する。
【手続補正１２】
【補正対象書類名】明細書
【補正対象項目名】００７５
【補正方法】変更
【補正の内容】
【００７５】
（第３の実施形態）
次に、本発明の第３の実施形態について、図１４を用いて説明する。
ここで、第１の実施形態における次コンテンツ情報取得処理１０００以外の部分については、次コンテンツ情報取得処理１０００への呼び出し処理ステップを、次コンテンツ情報取得処理１４００に置き換えることにより同様となるため、説明は省略する。
【手続補正１３】
【補正対象書類名】明細書
【補正対象項目名】００８８
【補正方法】変更
【補正の内容】
【００８８】
１００  コンテンツ閲覧装置
１０１  ＣＰＵ
１０２  ＲＯＭ
１０３  ＲＡＭ
１０４  ディスプレイインタフェース
１０５  赤外線インタフェース
１０６  ネットワークインタフェース
１１０  コンテンツ管理装置
１２０  ネットワーク
１３０  ディスプレイ
１４０  赤外線リモートコントローラ
２００  ユーザインタフェース画面
２０４  日時範囲選択ボタン領域
２０５  分類表示ボタン領域
２０１  コンテンツ画面
４０１  コンテンツ画面情報
４０５  コンテンツ取得条件情報
４０６  次コンテンツ取得条件情報
５０３  コンテンツ情報
６０１  表示中コンテンツ情報
６０２  取得済みコンテンツ情報